(57)【要約】【課題】流体の半径方向に対する流動の圧力に変化を与えて流動方向を制御し好ましい放熱効果を達成する風向制御部材を具える放熱装置を提供する。【解決手段】羽根車と、吸気口と吹き出し口を具えるフレームと、該フレームの吹き出し口内に設けられ、該羽根車を支持する支持部とを含んでなる放熱装置において、該支持部の外周に、該フレーム内を通過する流体の方向を制御する複数の風向制御部材を一体に形成する。【選択図】  図１
2005032789.tif 000002
【特許請求の範囲】
【請求項１】
羽根車と、吸気口と吹き出し口を具えるフレームと、該フレームの吹き出し口内に設けられ、該羽根車を支持する支持部とを含んでなる放熱装置において、
該支持部の外周に、該フレーム内を通過する流体の方向を制御する複数の風向制御部材を一体に形成することを特徴とする、風向制御部材を具える放熱装置。
【請求項２】
羽根車と、吸気口と吹き出し口を具えるフレームと、該フレームの吹き出し口内に設けられ、該羽根車を支持する支持部とを含んでなる放熱装置において、
該支持部の外周と、及び該フレームの吹き出し口の内壁に、フレーム内を通過する流体の方向を制御する複数の風向制御部材をそれぞれ一体に形成することを特徴とする、風向制御部材を具える放熱装置。
【請求項３】
羽根車と、吸気口と吹き出し口を具えるフレームと、該フレームの吸気口内に設けられ、該羽根車を支持する支持部とを含んでなる放熱装置において、
該支持部の外周に、該フレーム内を通過する流体の方向を制御する複数の風向制御部材を一体に形成することを特徴とする、風向制御部材を具える放熱装置。
【請求項４】
羽根車と、吸気口と吹き出し口を具えるフレームと、該フレームの吸気口内に設けられ、該羽根車を支持する支持部とを含んでなる放熱装置において、
該支持部の外周と、及び該吸気口の内壁に、フレーム内を通過する流体の方向を制御する複数の風向制御部材をそれぞれ一体に形成することを特徴とする、風向制御部材を具える放熱装置。
【請求項５】
吸気口と吹き出し口を具え、且つ内部に支持部を形成してなるフレームと、該フレームに接続するファンとを含んでなる放熱装置において、該フレーム内の支持部の外周面に、該フレーム内を通過する流体の方向を制御する複数の風向制御部材をそれぞれ一体に形成することを特徴とする、風向制御部材を具える放熱装置。
【請求項６】
吸気口と吹き出し口を具え、且つ内部に支持部を形成してなるフレームと、該フレームに接続するファンとを含んでなる放熱装置において、該フレーム内の支持部の外周面と及び該フレーム内壁に、該フレームを通過する流体の方向を制御する複数の風向制御部材をそれぞれ一体に形成することを特徴とする、風向制御部材を具える放熱装置。
【請求項７】
前記ファンがフレームと羽根車とを含んでなることを特徴とする、請求項５、請求項６のいずれか一つに記載の風向制御部材を具える放熱装置。
【請求項８】
前記風向制御部材が風向制御羽根であることを特徴とする、請求項１か、請求項２か、請求項３か、請求項４か、請求項５か、もしくは請求項６のいずれか一つに記載する風向制御部材を具える放熱装置。
【請求項９】
前記風向制御部材が平板状の風向制御羽根であることを特徴とする、請求項１か、請求項２か、請求項３か、請求項４か、請求項５か、もしくは請求項６のいずれか一つに記載する、風向制御部材を具える放熱装置。
【発明の詳細な説明】
【０００１】
【発明の属する技術分野】
この発明は放熱装置に関し、特に電子デバイスに設けられ、放熱を行うための風向制御部材を具える放熱装置に関する。
【０００２】
【従来の技術】
今日に至るまで、電子製品は機能向上が絶え間なく要求されてきた。これに対して、電子製品の稼働率も高められ、運転速度も高速化を目指して改善がなされてきた。かかる電子製品の稼働率の向上に伴い、発生する温度もますます高くなってきた。電子製品を高温の温度条件下で作動させると、システムの安定性に影響を与える。よって、如何にして発生する熱を迅速、かつ効果的に排除してシステムの温度を降下させ、適宜な作動温度条件で電子製品を稼動させるかが、目下重要な研究の課題となっている。
【０００３】
熱を効果的に排出するための装置として、ファンを利用することは最も経済的な方法とされている。ファンは、電動機の作用で電気エネルギーを機械的エネルギーに転換して羽根を回転させる。即ち、羽根を介してエネルギーを伝導し、流体を流動させることによって空間内の対流係数を増大させ、圧力の変化と速度の増加によって発生する流体の流動を利用して余剰の熱を除去し、放熱の目的を達成する。
【０００４】
但し、従来のファンは、流体が羽根の回転によって流動し、吹き出し口を通過する場合、ファンの外部周囲に拡散するだけであって、しかも流体の流動方向を制御することができない。よって羽根車のハブ後方に比較的大きな流体の滞留領域が形成され、このため放熱効果は決して好ましいものではない。
【０００５】
【特許文献１】台湾特許・出願第０９０１１８８１６号の公報
【０００６】
台湾特許・出願第０９０１１８８１６号の公報には、組み合わせ式ファンと、該ファンに使用されるフレームの構造が開示される。該組み合わせ式ファンとフレームは、羽根車とフレームとによって構成し、該フレームは第１フレームと、該第１フレーム内に設けられる第１気流ガイド部とによってなり、該第１気流ガイド部は複数の固定羽根を半径方向に配列してなる。羽根車が回転すると該羽根車から発生した気流の量と風圧が該固定羽根によって増大する。
【０００７】
上述する台湾特許は、従来のファンと同様に羽根車の回転によって発生する気流の流動方向を制御することができない。よって、放熱効果を制御する能力に限度があり、放熱にかかる従来の問題を効率良く解決することができない。
【０００８】
【発明が解決しようとする課題】
この発明は、流体の流動方向を制御し、好ましい放熱効果が得られる風向制御部材を具える放熱装置を提供することを課題とする。
【０００９】
【課題を解決するための手段】
そこで、本発明者は従来の技術に見られる欠点に鑑み鋭意研究を重ねた結果、羽根車と、吸気口と吹き出し口を具えるフレームと、該フレームの吹き出し口内に設けられ、該羽根車を支持する支持部とを含んでなり、該支持部の外周に、該フレーム内を通過する流体の方向を制御する複数の風向制御部材を一体に形成してなる放熱装置の構造によって課題を解決できる点に着眼し、かかる知見に基づいて本発明を完成させた。
【００１０】
以下、この発明について具体的に説明する。
【００１１】
請求項１に記載する風向制御部材を具える放熱装置は、羽根車と、吸気口と吹き出し口を具えるフレームと、該フレームの吹き出し口内に設けられ、該羽根車を支持する支持部とを含んでなる放熱装置において、
該支持部の外周に、該フレーム内を通過する流体の方向を制御する複数の風向制御部材を一体に形成する。
【００１２】
請求項２に記載する風向制御部材を具える放熱装置は、羽根車と、吸気口と吹き出し口を具えるフレームと、該フレームの吹き出し口内に設けられ、該羽根車を支持する支持部とを含んでなる放熱装置において、
該支持部の外周と、及び該フレームの吹き出し口の内壁に、フレーム内を通過する流体の方向を制御する複数の風向制御部材をそれぞれ一体に形成する。
【００１３】
請求項３に記載する風向制御部材を具える放熱装置は、羽根車と、吸気口と吹き出し口を具えるフレームと、該フレームの吸気口内に設けられ、該羽根車を支持する支持部とを含んでなる放熱装置において、
該支持部の外周に、該フレーム内を通過する流体の方向を制御する複数の風向制御部材を一体に形成する。
【００１４】
請求項４に記載する風向制御部材を具える放熱装置は、羽根車と、吸気口と吹き出し口を具えるフレームと、該フレームの吸気口内に設けられ、該羽根車を支持する支持部とを含んでなる放熱装置において、
該支持部の外周と、及び該吸気口の内壁に、フレーム内を通過する流体の方向を制御する複数の風向制御部材をそれぞれ一体に形成する。
【００１５】
請求項５に記載する風向制御部材を具える放熱装置は、吸気口と吹き出し口を具え、且つ内部に支持部を形成してなるフレームと、該フレームに接続するファンとを含んでなる放熱装置において、
該フレーム内の支持部の外周面に、該フレーム内を通過する流体の方向を制御する複数の風向制御部材をそれぞれ一体に形成する。
【００１６】
請求項６に記載する風向制御部材を具える放熱装置は、吸気口と吹き出し口を具え、且つ内部に支持部を形成してなるフレームと、該フレームに接続するファンとを含んでなる放熱装置において、
該フレーム内の支持部の外周面と及び該フレーム内壁に、該フレームを通過する流体の方向を制御する複数の風向制御部材をそれぞれ一体に形成する。
【００１７】
請求項７に記載する風向制御部材を具える放熱装置は、請求項５、請求項６におけるファンがフレームと羽根車とを含んでなる。
【００１８】
請求項８に記載する風向制御部材を具える放熱装置は、請求項１か、請求項２か、請求項３か、請求項４か、請求項５か、もしくは請求項６における風向制御部材が風向制御羽根である。
【００１９】
請求項９に記載する風向制御部材を具える放熱装置は、請求項１か、請求項２か、請求項３か、請求項４か、請求項５か、もしくは請求項６における風向制御部材が平板状の風向制御羽根である。
【００２０】
【発明の実施の形態】
この発明は、電子デバイスに設けられる放熱を行うための風向制御部材を具える放熱装置を提供するものであって、羽根車と吸気口及び吹き出し口を有するフレームと、該フレームに設けられる該羽根車を支持する支持部とによってなり、且つ該支持部の外周面及び／もしくはフレーム内壁に風向制御部材を設けて構成する。
【００２１】
かかる風向制御手段の構造と特徴を詳述するために、具体的な実施例を挙げ、図示を参照にして以下に詳述する。
【００２２】
【第１の実施例】
この発明による第１の実施例を図１、２、３に開示する。図面によれば、第１の実施例の風向制御手段は、フレーム（１１）と、羽根車（１２）とを含んでなり、羽根車（１２）はハブ（１２１）と羽根（１２２）とによって構成する。また、フレーム（１１）は流体の流動に供する吸気口（１１１）と吹き出し口（１１２）を有するとともに、吹き出し口（１１２）には支持部（１１３）を具え、該支持部（１１３）には、外周面から突起する風向風向制御羽根（１１４）を輻射状に配列して一体に形成する。該風向風向制御羽根（１１４）の作用によってフレーム（１１）を通過する流体の半径方向の圧力を変化させ、流体の流動方向を制御する目的を達成する。
【００２３】
図４に開示するように、羽根（１２２）が回転すると、非定常な流れの場（ｆｌｏｗ  ｆｉｅｌｄ）の変化が発生して流体が吸気口（１１１）から進入し、吹き出し口（１１２）から吹き出される。流体が吹き出し口（１１２）を通過すると、突出して形成される風向制御羽根（１１４）の作用によって制御を受け、半径方向に対する圧力が増大し、流体の外方向に拡散する流通範囲が広くなる。
【００２４】
風向制御羽根（１１４）は、図５に開示するように、断面が略Ｔ字型を呈し、即ち中間部が内方向に突出するように形成する風向制御羽根（１１４ａ）か、図６に開示するように断面が逆Ｌ字状を呈する風向制御羽根（１１４ｂ）か、もしくは図７に開示するように断面がＬ字型を呈する風向制御羽根（１１４ｃ）であってもよく、いずれも風向制御羽根（１１４）と同様に、吹き出し口（１１２）を通過する流体の半径方向に対する圧力を変化させて、流体の方向を制御する目的を達することができる。
【００２５】
【第２の実施例】
この発明の第２の実施例を図８から図１１に開示する。全体的な構造は、前述の第１の実施例と略同様であるためここでは詳述しない。第１の実施例と異なる点は風向制御羽根の形状にあり、第２の実施例においてフレーム（１１）の吹き出し口（１１２）の支持部（１１３）に一体に形成する風向制御羽根（１３）は、平板状に形成され、第１の実施例における風向制御羽根（１１４）と同様にフレーム（１１）を通過する流体の半径方向の圧力を変化させ、流体の流動方向を制御する目的を達成することができる。
【００２６】
【第３の実施例】
この発明の第３の実施例を図１２から図１４に開示する。第３の実施例はフレーム（２１）と、羽根車（２２）とを含んでなり、該羽根車（２２）は、ハブ（２２１）と羽根（２２２）とによって構成する。該フレーム（２１）は、吸気口（２１１）と吹き出し口（２１２）を有し、且つ該吹き出し口（２１２）には、羽根車（２２）を支持する支持部（２１３）を設ける。また、吹き出し口（２１２）の内壁と、支持部（２１３）の外周面には、突起した風向制御羽根（２１４）を輻射状に配列して、それぞれ一体に形成する。該風向制御羽根（２１４）を設けることによってフレーム（２１）を通過する流体の半径方向の圧力を変化させ、流体の流動方向を制御する目的を達成する。
【００２７】
図１５に開示するように、羽根（２２２）が回転すると、非定常な流れの場（ｆｌｏｗ  ｆｉｅｌｄ）の変化が発生して流体が吸気口（２１１）から進入し、吹き出し口（２１２）から吹き出される。流体が吹き出し口（２１２）を通過すると、フレーム（２１）の内壁と支持部（２１３）の外周面からそれぞれ突起して形成される風向制御羽根（２１４）の作用によって制御を受け、半径方向に対する圧力が変化して、支持部（２１３）の後方中心部に向かって流動するとともに、外方向に拡散するように流動する。このように流体が支持部（２１３）の後方に流動し、支持部（２１３）の後方に発生する滞留領域が縮小するため、この発明による風向制御手段を具えるファンを放熱システム内に応用し、熱エネルギーを周囲の環境に放出する場合、放熱効率を大幅に高め、放熱システム全体の放熱効果をさらに高めることができる。
【００２８】
上述の風向制御羽根（２１４）は、図１６に開示するように、断面が略Ｔ字状を呈し、即ち中間部が内方向に突出するように形成する風向制御羽根（２１４ａ）か、図１７に開示するように断面が逆Ｌ字状を呈する風向制御羽根（２１４ｂ）か、もしくは図１８に開示するように断面がＬ字型を呈する風向制御羽根（２１４ｃ）であってもよく、いずれも吹き出し口（２１２）を通過する流体の半径方向に対する圧力を変化させ、流体の流動方向を制御して放熱効果を高める目的を達成することができる。
【００２９】
【第４の実施例】
この発明の第４の実施例を図１９から図２２に開示する。全体的な構造は、前述するそれぞれの実施例と同様であるためここでは詳述しない。第４の実施例の異なる点は、吹き出し口（２１２）の内壁と、支持部（２１３）の外周面のいずれにも突起した平板状の風向制御羽根（２３）を一体に形成する点であって、上述するそれぞれの実施例と同様にフレーム（２１）を通過する流体の半径方向に対する圧力を変化させて流体の流動方向を制御する目的を達成することができる。
【００３０】
【第５の実施例】
この発明の第５の実施例を図２３から図２５に開示する。第５の実施例は図面に開示するように、フレーム（３１）と、羽根車（３２）とを含んでなり、該羽根車（３２）は、ハブ（３２１）と羽根（３２２）とによって構成する。該フレーム（３１）は、吸気口（３１１）と吹き出し口（３１２）を具え、該吸気口（３１１）には、羽根車（３２）を支持する支持部（３１３）を設ける。支持部（３１３）には外周面から突起する風向制御羽根（３１４）を輻射状に配列して一体に形成する。該風向制御羽根（３１４）の作用によってフレーム（３１）を通過する流体の半径方向に対する圧力を変化させて、流体の流動方向を制御する目的を達成することができる。
【００３１】
図２６に開示するように、羽根（３２２）が回転すると、非定常な流れの場（ｆｌｏｗ  ｆｉｅｌｄ）の変化が発生して流体が吸気口（３１１）から進入し、吹き出し口（３１２）から吹き出される。流体が吸気口（３１１）から進入すると、突出して形成された風向制御羽根（３１４）の作用によって制御を受け、半径方向に対する圧力に大きな変化が発生して羽根（３２２）の端に流体が集中し、羽根（３２２）の回転し流体が吹き出し口（３１２）から吹き出される時、流体が外に拡散する。よって、流体の半径方向に対する圧力が増加し、流体が外へ拡散する範囲が拡大する目的を達成する。
【００３２】
風向制御羽根（３１４）は、図２７に開示するように、断面が略Ｔ字状を呈し、即ち中間部が内方向に突出するように形成する風向制御羽根（３１４ａ）か、図２８に開示するように断面が逆Ｌ字状に形成する風向制御羽根（３１４ｂ）か、もしくは図２９に開示するように断面がＬ字型を呈する風向制御羽根（３１４ｃ）であってもよく、いずれも該風向制御羽根（３１４）と同様に、流体の半径方向に対する圧力を変化させ、吹き出し口（３１２）において流体の半径方向に対する圧力を変化させて、流体の流動方向を制御する目的を達成することができる。
【００３３】
【第６の実施例】
この発明の第６の実施例を図３０から図３３に開示する。全体的な構造は前述の第５の実施例と同じであるためここでは詳述しない。第６の実施例では、支持部（３１３）の外周面に突出して形成される平板状の風向制御羽根（３３）であって、第５の実施例における風向制御羽根（３１４）と同様に流動する流体の半径方向に対する圧力を変化させて流体の流動方向を制御する効果を達成する。
【００３４】
【第７の実施例】
この発明の第７の実施例を図３４から図３６に開示する。第７の実施例はフレーム（４１）と、羽根車（４２）とによって構成される。該羽根車（４２）は、ハブ（４２１）と羽根（４２２）とによってなり、該フレーム（４１）は、流体が流動する吸気口（４１１）及び吹き出し口（４１２）を具えてなり、該吸気口（４１１）には、羽根車（４２）を支持する支持部（４１３）を設けて羽根車（４２）を内設する。また、該吸気口（４１１）の内壁及び支持部（４１３）の外周面のいずれにも輻射状に配列した複数の風向制御羽根（４１４）が突起するように一体に形成する。該風向制御羽根（４１４）の作用によってフレーム（４１）を流動する流体の半径方向に対する圧力を変化させて、流体の流動方向を制御する目的を達成する。
【００３５】
図３７に開示するように、羽根（４２２）が回転すると、非定常な流れの場（ｆｌｏｗ  ｆｉｅｌｄ）の変化が発生して流体が吸気口（４１１）から進入し、吹き出し口（４１２）から吹き出される。流体が吹き出し口（４１２）を通過すると、突出した風向制御羽根（４１４）の作用によって制御を受け、半径方向に対する圧力に大きな変化が発生して支持部（４２１）及び羽根（４２２）の一端に圧力が集中する。羽根（４２２）が回転し、流体が吹き出し口（４１２）を通過するとき、流体は支持部（４２１）の後方中心部に向かって流動する。よって流体の支持部（４２１）の後方へ流動する流量が増加し、支持部（４２１）の後方に発生する滞留領域が縮小する。このため、この発明による風向制御手段を具えるファンを放熱システム内に応用し、熱エネルギーを外部へ放出する場合、放熱効率を大幅に高め、放熱システム全体の放熱効果をさらに高めることができる。
【００３６】
風向制御羽根（４１４）は、図３８に開示するように、断面が略Ｔ字状を呈し、即ち中間部が内方向に突出するように形成する風向制御羽根（４１４ａ）か、図３９に開示するように断面が逆Ｌ字状を呈する風向制御羽根（４１４ｂ）か、もしくは図４０に開示するように断面がＬ字型を呈する風向制御羽根（４１４ｃ）であってもよく、いずれも風向制御羽根（４１４）と同様に、流体の半径方向に対する圧力を変化させ、流体の流動方向を制御する目的を達成することができる。
【００３７】
【第８の実施例】
この発明の第８の実施例を図４１から図４４に開示する。全体的な構造は前述するそれぞれの実施例と略同様であるためここでは詳述しない。第８の実施例においては吸気口（４１４）の内壁と、支持部（４１３）の外周面のいずれにも複数の平板状の風向制御羽根（４３）を突起させて一体に形成する点が異なる。該複数の風向制御羽根（４３）は、同様に流動する流体の半径方向に対する圧力を変化させて流体の流動方向を制御する効果を達成する。
【００３８】
【第９の実施例】
この発明の第９の実施例を図４５から図４７に開示する。第９の実施例は第１フレーム（５１）と、羽根車（５２３）及び第２フレーム（５２１）とによってなるファン（５２）とを含んでなる。第１フレーム（５１）は、吸気口（５１３）と、吹き出し口（５１４）と、支持部（５１１）とを具え、且つ該支持部（５１１）には突起する風向制御羽根（５１２）を輻射状に配列して一体に形成する。該ファン（５２）は、吸気口（５２４）と吹き出し口（５２５）とを具え、且つハブ支持部（５２２）を内設するとともに、ハブ（５２３１）と羽根（５２３２）とによってなる羽根車（５２３）を該ハブ支持部（５２２）に設けてなり、第１フレーム（５１）の吸気口（５１３）に連結する。該風向制御羽根（５１２）の作用によって、ファン（５２）を通過する流体の半径方向に対する圧力を変化させ、流体の流動方向を制御する目的を達成することができる。
【００３９】
図４５から図４８に開示するように、羽根（５２３２）が回転すると、非定常な流れの場（ｆｌｏｗ  ｆｉｅｌｄ）の変化が発生して流体がファン（５２）の吸気口（５２４）から進入し、ファン（５２）の吹き出し口（５２５）及び第１フレーム（５１）の吸気口（５１３）を通過して、さらに第１フレーム（５１）の吹き出し口（５１４）から吹き出される。流体が第１フレーム（５１）の吸気口（５１３）を通過すると、突出して形成される風向制御羽根（５１２）の作用によって制御を受け、半径方向に対する圧力に大きな変化が発生して第１フレーム（５１）の吹き出し口（５１４）を通過すると外方向に拡散し、半径方向に対する圧力が増大するため、流体が外方向に拡散する範囲が広くなる。
【００４０】
風向制御羽根（５１２）は、図４９に開示するように、断面が略Ｔ字状を呈し、即ち中間部が内方向に突出するように形成する風向制御羽根（５１２ａ）か、図５０に開示するように断面が逆Ｌ字状を呈する風向制御羽根（５１２ｂ）か、もしくは図５１に開示するように断面がＬ字状を呈する風向制御羽根（５１２ｃ）であってもよく、いずれも風向制御羽根（５１２）と同様に、流体の半径方向に対する圧力を変化させ、流体の流動方向を制御する目的を達成することができる。
【００４１】
【第１０の実施例】
この発明の第１０の実施例を図５２から図５５に開示する。全体的な構造は前述の実施例と略同様であるためここでは詳述しない。第１０の実施例の異なる点は、第１フレーム（５１）の支持部（５１１）の外周面に複数の平板状の風向制御羽根（５３）を外周面から突起するように一体に形成した点であって、同様に流動する流体の半径方向に対する圧力を変化させて流体の流動方向を制御する効果を達成することができる。また、第９の実施例と、第１０の実施例における第１フレーム（５１）は、ファン（５２）を形成する第２フレーム（５２１）の吸気口（５２４）に連結しても同様の効果が得られる。
【００４２】
この発明の第１１の実施例を図５６から図５８に開示する。第１１の実施例は第１フレーム（６１）と、羽根車（６２３）及び第２フレーム（６２１）とによってなるファン（６２）とを含んでなる。第１フレーム（６１）は、吸気口（６１３）と、吹き出し口（６１４）と、支持部（６１１）とを具え、且つ該支持部（６１１）には突起する風向制御羽根（６１２）を輻射状に配列して一体に形成するとともに、吹き出し口（６１４）の内壁に同様の風向制御羽根（６１２）を等間隔で一体に形成する。該ファン（６２）は、吸気口（６２４）と吹き出し口（６２５）とを具え、且つハブ支持部（６２２）を内設するとともに、ハブ（６２３１）と羽根（６２３２）とによってなる羽根車（６２３）を該ハブ支持部（６２２）に設けてなり、第１フレーム（６１）の吸気口（６１３）に連結する。該風向制御羽根（６１２）の作用によって、ファン（６２）を通過する流体の半径方向に対する圧力を変化させ、流体の流動方向を制御する目的を達成することができる。
【００４３】
図５９に開示するように、羽根（６２３２）が回転すると、非定常な流れの場（ｆｌｏｗ  ｆｉｅｌｄ）の変化が発生して流体がファン（６２）の吸気口（６２４）から進入し、ファン（６２）の吹き出し口（６２５）及び第１フレーム（６１）の吸気口（６１３）を通過して、さらに第１フレーム（６１）の吹き出し口（６１４）から吹き出される。流体が第１フレーム（６１）の吸気口（６１３）を通過すると、突出して形成される風向制御羽根（６１２）の作用によって制御を受け、半径方向に対する圧力に大きな変化が発生して第１フレーム（６１）の吹き出し口（６１４）を通過すると支持部（６１１）の後方中心に向かって流動するとともに、外方向に拡散し、流体が支持部（６１１）後方に流動して、支持部（６１１）の後方に発生する滞留領域を縮小する。よって、この発明による風向制御手段を具えるファンを放熱システム内に応用し、熱エネルギーを外部へ放出する場合、放熱効率を大幅に高め、放熱システム全体の放熱効果をさらに高めることができる。
【００４４】
風向制御羽根（６１２）は、図６０に開示するように、断面が略Ｔ字状を呈し、即ち中間部が内方向に突出するように形成する風向制御羽根（６１２ａ）か、図６１に開示するように断面が逆Ｌ字状を呈する風向制御羽根（６１２ｂ）か、もしくは図６２に開示するように断面がＬ字状を呈する風向制御羽根（６１２ｃ）であってもよく、いずれも風向制御羽根（６１２）と同様に、流体の半径方向に対する圧力を変化させ、流体の流動方向を制御する効果を達成し、放熱能力を高めることができる。
【００４５】
【第１２の実施例】
この発明の第１２の実施例を図６３から図６６に開示する。全体的な構造は前述の実施例と略同様であるためここでは詳述しない。第１２の実施例においては、フレーム（６１）の吹き出し口（６１４）の内壁及び支持部（６１１）の外周面のそれぞれに平板状の複数の風向制御羽根（６３）を設ける点が異なる。風向制御羽根（６３）は、同様に流動する流体の半径方向に対する圧力を変化させて流体の流動方向を制御する効果を達成することができる。また、第１１の実施例及び第１２の実施例における第１フレーム（６１）は、ファン（６２）の吸気口（６２４）が形成された面に接続しても同様の効果を達成することができる。
【００４６】
以上は、この発明の好ましい実施例であって、この発明の実施の範囲を限定するものではない。よって、当業者のなし得る修正、もしくは変更であって、この発明の精神の下においてなされ、この発明に対して均等の効果を有するものは、いずれもこの発明の特許請求の範囲に属するものとする。
【００４７】
【発明の効果】
この発明による放熱装置は、流動する流体の半径方向に対する圧力を変化させ、流体の流動方向を制御して、放熱効果を高める効果を有する。
【図面の簡単な説明】
【図１】この発明の第１の実施例による放熱手段の分解図である。
【図２】図１に開示する放熱手段の正面図である。
【図３】図１に開示する放熱手段の斜視図である。
【図４】図１に開示する放熱手段における風向制御にかかる説明図である。
【図５】図１に開示する放熱手段における風向制御羽根の他の実施形態を表わす説明図である。
【図６】図１に開示する放熱手段における風向制御羽根のその他実施形態を表わす説明図である。
【図７】図１に開示する放熱手段における風向制御羽根の別の実施形態を表わす説明図である。
【図８】この発明の第２の実施例による放熱手段の分解図である。
【図９】図８に開示する放熱手段の正面図である。
【図１０】図８に開示する放熱手段の斜視図である。
【図１１】図８に開示する放熱手段における風向制御にかかる説明図である。
【図１２】この発明の第３の実施例による放熱手段の分解図である。
【図１３】図１２に開示する放熱手段の正面図である。
【図１４】図１２に開示する放熱手段の斜視図である。
【図１５】図１２に開示する放熱手段における風向制御にかかる説明図である。
【図１６】図１２に開示する放熱手段における風向制御羽根の他の実施形態を表わす説明図である。
【図１７】図１２に開示する放熱手段における風向制御羽根のその他実施形態を表わす説明図である。
【図１８】図１２に開示する放熱手段における風向制御羽根の別の実施形態を表わす説明図である。
【図１９】この発明の第４の実施例による放熱手段の分解図である。
【図２０】図１９に開示する放熱手段の正面図である。
【図２１】図１９に開示する放熱手段の斜視図である。
【図２２】図１９に開示する放熱手段の風向制御にかかる説明図である。
【図２３】この発明の第５の実施例による放熱手段の分解図である。
【図２４】図２３に開示する放熱手段の正面図である。
【図２５】図２３に開示する放熱手段の斜視図である。
【図２６】図２３に開示する放熱手段における風向制御にかかる説明図である。
【図２７】図２３に開示する放熱手段における風向制御羽根の他の実施形態を表わす説明図である。
【図２８】図２３に開示する放熱手段における風向制御羽根のその他実施形態を表わす説明図である。
【図２９】図２３に開示する放熱手段における風向制御羽根の別の実施形態を表わす説明図である。
【図３０】この発明の第６の実施例による放熱手段の分解図である。
【図３１】図３０に開示する放熱手段の正面図である。
【図３２】図３０に開示する放熱手段の斜視図である。
【図３３】図３０に開示する放熱手段における風向制御にかかる説明図である。
【図３４】この発明の第７の実施例による放熱手段の分解図である。
【図３５】図３４に開示する放熱手段の正面図である。
【図３６】図３４に開示する放熱手段の斜視図である。
【図３７】図３４に開示する放熱手段における風向制御にかかる説明図である。
【図３８】図３４に開示する放熱手段における風向制御羽根の他の実施形態を表わす説明図である。
【図３９】図３４に開示する放熱手段における風向制御羽根のその他実施形態を表わす説明図である。
【図４０】図３４に開示する放熱手段における風向制御羽根の別の実施形態を表わす説明図である。
【図４１】この発明の第８の実施例による放熱手段の分解図である。
【図４２】図４１に開示する放熱手段の正面図である。
【図４３】図４１に開示する放熱手段の斜視図である。
【図４４】図４１に開示する放熱手段の風向制御にかかる説明図である。
【図４５】この発明の第９の実施例による放熱手段の分解図である。
【図４６】図４５に開示する放熱手段の正面図である。
【図４７】図４５に開示する放熱手段の斜視図である。
【図４８】図４５に開示する放熱手段における風向制御にかかる説明図である。
【図４９】図４５に開示する放熱手段における風向制御羽根の他の実施形態を表わす説明図である。
【図５０】図４５に開示する放熱手段における風向制御羽根のその他実施形態を表わす説明図である。
【図５１】図４５に開示する放熱手段における風向制御羽根の別の実施形態を表わす説明図である。
【図５２】この発明の第１０の実施例による放熱手段の分解図である。
【図５３】図５２に開示する放熱手段の正面図である。
【図５４】図５２に開示する放熱手段の斜視図である。
【図５５】図５２に開示する放熱手段における風向制御にかかる説明図である。
【図５６】この発明の第１１の実施例による放熱手段の分解図である。
【図５７】図５６に開示する放熱手段の正面図である。
【図５８】図５６に開示する放熱手段の斜視図である。
【図５９】図５６に開示する放熱手段における風向制御にかかる説明図である。
【図６０】図５６に開示する放熱手段における風向制御羽根の他の実施形態を表わす説明図である。
【図６１】図５６に開示する放熱手段における風向制御羽根のその他実施形態を表わす説明図である。
【図６２】図５６に開示する放熱手段における風向制御羽根の別の実施形態を表わす説明図である。
【図６３】この発明の第１２の実施例による放熱手段の分解図である。
【図６４】図６３に開示する放熱手段の正面図である。
【図６５】図６３に開示する放熱手段の斜視図である。
【図６６】図６３に開示する放熱手段の風向制御にかかる説明図である。
【符号の説明】
１１  フレーム
１１１  風向制御羽根
１１１ａ  風向制御羽根
１１１ｂ  風向制御羽根
１１１ｃ  風向制御羽根
１１２  吸気口
１１３  吹き出し口
１１４  支持部
１２  羽根車
１２１  ハブ
１２２  羽根
２１１  風向制御羽根
３１  フレーム
３１１  風向制御羽根
３１１ａ  風向制御羽根
３１１ｂ  風向制御羽根
３１１ｃ  風向制御羽根
３１２  吸気口
３１３  吹き出し口
３１４  支持部
３２  羽根車
３２１  ハブ
３２２  羽根
４１  フレーム
４１１  吸気口
４１２  吹き出し口
４１３  支持部
４１４  風向制御羽根
４１４ａ  風向制御羽根
４１４ｂ  風向制御羽根
４１４ｃ  風向制御羽根
４２  羽根車
４２１  支持部
４２２  羽根
４３  風向制御羽根
５１  第１フレーム
５１１  支持部
５１２  風向制御羽根
５１２ａ  風向制御羽根
５１２ｂ  風向制御羽根
５１２ｃ  風向制御羽根
５１３  吸気口
５１４  吹き出し口
５２  ファン
５２１  第２フレーム
５２２  支持部
５２３  羽根車
５２３１  ハブ
５２３２  羽根
５２４  吸気口
５２５  吹き出し口
５３  風向制御羽根
６１  第１フレーム
６１１  支持部
６１２  風向制御羽根
６１２ａ  風向制御羽根
６１２ｂ  風向制御羽根
６１２ｃ  風向制御羽根
６１３  吸気口
６１４  吹き出し口
６２  ファン
６２１  第２フレーム
６２２  ハブ支持部
６２３  羽根車
６２３１  ハブ
６２３２  羽根
６２４  吸気口
６２５  吹き出し口
６３  風向制御羽根
【図１】
2005032789.tif 000003
【図２】
2005032789.tif 000004
【図３】
2005032789.tif 000005
【図４】
2005032789.tif 000006
【図５】
2005032789.tif 000007
【図６】
2005032789.tif 000008
【図７】
2005032789.tif 000009
【図８】
2005032789.tif 000010
【図９】
2005032789.tif 000011
【図１０】
2005032789.tif 000012
【図１１】
2005032789.tif 000013
【図１２】
2005032789.tif 000014
【図１３】
2005032789.tif 000015
【図１４】
2005032789.tif 000016
【図１５】
2005032789.tif 000017
【図１６】
2005032789.tif 000018
【図１７】
2005032789.tif 000019
【図１８】
2005032789.tif 000020
【図１９】
2005032789.tif 000021
【図２０】
2005032789.tif 000022
【図２１】
2005032789.tif 000023
【図２２】
2005032789.tif 000024
【図２３】
2005032789.tif 000025
【図２４】
2005032789.tif 000026
【図２５】
2005032789.tif 000027
【図２６】
2005032789.tif 000028
【図２７】
2005032789.tif 000029
【図２８】
2005032789.tif 000030
【図２９】
2005032789.tif 000031
【図３０】
2005032789.tif 000032
【図３１】
2005032789.tif 000033
【図３２】
2005032789.tif 000034
【図３３】
2005032789.tif 000035
【図３４】
2005032789.tif 000036
【図３５】
2005032789.tif 000037
【図３６】
2005032789.tif 000038
【図３７】
2005032789.tif 000039
【図３８】
2005032789.tif 000040
【図３９】
2005032789.tif 000041
【図４０】
2005032789.tif 000042
【図４１】
2005032789.tif 000043
【図４２】
2005032789.tif 000044
【図４３】
2005032789.tif 000045
【図４４】
2005032789.tif 000046
【図４５】
2005032789.tif 000047
【図４６】
2005032789.tif 000048
【図４７】
2005032789.tif 000049
【図４８】
2005032789.tif 000050
【図４９】
2005032789.tif 000051
【図５０】
2005032789.tif 000052
【図５１】
2005032789.tif 000053
【図５２】
2005032789.tif 000054
【図５３】
2005032789.tif 000055
【図５４】
2005032789.tif 000056
【図５５】
2005032789.tif 000057
【図５６】
2005032789.tif 000058
【図５７】
2005032789.tif 000059
【図５８】
2005032789.tif 000060
【図５９】
2005032789.tif 000061
【図６０】
2005032789.tif 000062
【図６１】
2005032789.tif 000063
【図６２】
2005032789.tif 000064
【図６３】
2005032789.tif 000065
【図６４】
2005032789.tif 000066
【図６５】
2005032789.tif 000067
【図６６】
2005032789.tif 000068